(57)【特許請求の範囲】
【請求項１】
洗濯機外枠に載設した上部外装体に回動自在に後方の一端を軸支し開口部を有する蓋体と、この蓋体の上部に前記開口部を覆うように載設した透明窓とを備え、前記蓋体は、前方の先端部に略Ｌ字型のコーナー部を形成し、前記透明窓は、前記略Ｌ字型のコーナー部を覆うように形成された前端およびその後端側に形成された後端により縦断面形状を略逆凹状とし、前記前端の内側面には、突起または凹部を形成し、前記突起または凹部を蓋体の前方の外側面に形成した凹部または突起に係合するとともに、前記前端の先端には、前記前端の内側面に形成した突起または凹部の形成位置を外れて下方へ突出した突出片を一体に形成し、前記蓋体の略Ｌ字型のコーナー部には、前記突出片の対応位置に溝部を形成し、前記前端の内側面に形成した突起または凹部が、前記蓋体の前方の外側面に形成した凹部または突起に係合した状態で、前記前端の先端に一体に形成した突出片が前記溝部に入り込む構成とした洗濯機の蓋装置。
【発明の詳細な説明】
【０００１】
【産業上の利用分野】
本発明は洗濯機外枠に載設した上部外装体に回動自在に一端を軸支した洗濯機の蓋装置に関するものである。
【０００２】
【従来の技術】
従来、洗濯機は図８に示すような構成が一般的であった。以下、その構成について説明する。
【０００３】
図に示すように、水受け槽１は、底部にパルセーター２を回転自在に配設した洗濯兼脱水槽３を内包し、吊り棒４によって外枠５に吊り下げられている。上部外装体６は外枠５上部に装着し、この上部外装体６の略中央部に布投入口７を形成し、蓋８で覆っている。また、上部外装体６の後部に電磁給水弁９と給水装置１０を内蔵しパネル１１で覆っている。
【０００４】
蓋８は上部外装体６に一端を上方へ回動自在に軸支され、軸支部ａと略平行な軸線ｂに沿って折りたたみ可能に連結した２つの蓋体８ａ、８ｂで構成している。さらに、蓋体８ｂの略中央部に開口部１２を設け、開口部１２の上方に透明窓１３を溶着し、透明窓１３を通して洗濯兼脱水槽３の内部の衣類１４の状態が確認できる構成となっていた。
【０００５】
また、図９に示すように、蓋体８ｂに設けた透明窓１３の裏面の溶着部１５が透明窓１３の表面側１６から容易に見えてしまう。そこで、外観の美観を保つために、この透明窓１３の溶着部１５の表面には広範囲での印刷や、インモールド成型による目隠し１７をすることによって美観を保っていた。
【０００６】
【発明が解決しようとする課題】
このような従来の構成では、蓋体８ｂには略中央に開口部１２を設けているため、蓋体８ｂの強度が低下し、上方からの押し力や、衝撃に耐え切れず破損したり、また蓋体８ｂのひねりに対しての強度も弱く、最近の高級感を追求した洗濯機の蓋装置としては不十分なものであった。
【０００７】
また、透明窓１３を溶着するよるコスト的デメリットは大きく、さらに裏面の溶着部１５が透明窓１３の表面側１６から見え、商品性を著しく損なうことから、透明窓１３の溶着部１５の表面側１６には印刷や、インモールド成型による目隠し１７を行わなければならなかった。
【０００８】
本発明は上記課題を解決するもので、上方からの押し力や、衝撃、またはひねりに対する機械的強度を向上させ、また、溶着、印刷またはインモールド成型を行うことなく、美観を損ねずしかも透明窓の嵌合性を向上させるとともに、透明窓のはずれ防止強度を向上することを目的としている。
【０００９】
【課題を解決するための手段】
本発明は上記第１の目的を達成するために、洗濯機外枠に載設した上部外装体に回動自在に後方の一端を軸支し開口部を有する蓋体と、この蓋体の上部に前記開口部を覆うように載設した透明窓とを備え、前記蓋体は、前方の先端部に略Ｌ字型のコーナー部を形成し、前記透明窓は、前記略Ｌ字型のコーナー部を覆うように形成された前端およびその後端側に形成された後端により縦断面形状を略逆凹状とし、前記前端の内側面には、突起または凹部を形成し、前記突起または凹部を蓋体の前方の外側面に形成した凹部または突起に係合するとともに、前記前端の先端には、前記前端の内側面に形成した突起または凹部の形成位置を外れて下方へ突出した突出片を一体に形成し、前記蓋体の略Ｌ字型のコーナー部には、前記突出片の対応位置に溝部を形成し、前記前端の内側面に形成した突起または凹部が、前記蓋体の前方の外側面に形成した凹部または突起に係合した状態で、前記前端の先端に一体に形成した突出片が前記溝部に入り込む構成としたことを課題解決手段としている。
【００１０】
【作用】
本発明は上記した課題解決手段により、開口部を有する蓋装置のもっとも応力のかかりやすい前方の先端部に略Ｌ字型のコーナー部を形成した蓋体と、この蓋体の略Ｌ字型のコーナー部を覆うように前端を略Ｌ字型に形成した透明窓とによって蓋体の先端部を２重壁構造にし、機械的強度を向上することができ、上方からの押し力や、衝撃、またはひねりによって変形または破損するのを防止することができ、また、前端および後端により縦断面形状を略逆凹状とした透明窓の前端の内側面に形成した突起または凹部を蓋体の前方の外側面に形成した凹部または突起に係合することによって透明窓を蓋体に簡単に嵌合することができ、また、透明窓は蓋体に溶着する必要がないため、溶着や、印刷またはインモールド成型を行うコスト的デメリットを解決することができ、外観の美観を損ねることをなくすることができ、さらに、透明窓の前端の内側面に形成した突起または凹部を蓋体の前方の外側面に形成した凹部または突起に係合した状態で、透明窓の前端の先端に前端の内側面の突起または凹部の形成位置を外れて下方へ突出して一体に形成した突出片を蓋体の略Ｌ字型のコーナー部に形成した溝部に入り込む構成とすることにより、突起または凹部と蓋体との係合がはずれることがなく、透明窓のはずれ防止強度を向上することができる。
【００１１】
【実施例】
以下、本発明の一実施例を図１から図７を参照しながら説明する。なお、従来例と同じ構成のものは同一符号を付して説明を省略する。
【００１２】
図２示すように、蓋１８は上部外装体６に一端を上方へ回動自在に軸支し、軸支部ａと略平行な軸線ｂに沿って折りたたみ可能に連結した２つの蓋体１８ａ、１８ｂで構成している。蓋体１８ｂの略中央部に、図１に示すように、開口部１９を設け、開口部１９の上方に透明窓２０を載設し、透明窓２０を通して洗濯兼脱水槽の内部の衣類の状態が確認できる構成となっている。
【００１３】
蓋体１８ｂは、先端部を略Ｌ字型に形成し、この蓋体１８ｂの上方に載設した透明窓２０は、蓋体１８ｂの略Ｌ字型のコーナー部２１を覆うように前端２０ａを略Ｌ字型に形成している。
【００１４】
透明窓２０は、縦断面形状が略逆凹状とし、図３または図４に示すように、その前端下方部に蓋体１８ｂに形成した凹部２２に係合する突起２３を形成し、また後端の下方部に蓋体１８ｂに形成した突起２４に係合する凹部２５を形成している。
【００１５】
蓋１８ｂの凹部２２は、図５に示すように、金型上横スライド２６により形成し、その凹部２２に嵌合する透明窓２０に爪状の突起２３は、図６に示すように、金型上横スライド２７により形成する。ただし天面へのスライドラインを残さないように、スライドコア２８にて成型する。
【００１６】
また、蓋１８ｂは、図７に示すように、横スライド２６の凹部形成位置を外れて金型上抜き方向に下方への溝部２９を形成し、さらに透明窓２０には蓋体１８ｂの溝部２９に対応する位置に突出片３０を形成している。透明窓２０の突起２３と蓋１８ｂの凹部２２の係合により、透明窓２０の突出片３０が蓋１８ｂの溝部２８に入り込む構成としている。
【００１７】
上記構成により、もっとも応力のかかりやすい先端部を、略Ｌ字型に形成した蓋体１８ｂと、この蓋体１８ｂの略Ｌ字型のコーナー部２１を覆うように前端２０ａを略Ｌ字型に形成した透明窓２０とによって２重壁構造にし、機械的強度を向上することができ、上方からの押し力や、衝撃、またはひねりによって変形または破損するのを防止することができ、高級感をもった洗濯機の蓋装置を得ることが可能となる。
【００１８】
また、透明窓２０の裏面の爪嵌合部は透明窓２０の端面に位置するため、表面側１６から見た場合に爪の嵌合が目立たず、表面印刷などの目隠しの必要がない。また、この透明窓２０の表面に現れる成型品に特有の爪部のひけについても端面全周に一様に発生するため、表面側１６からの美観を損ねることはない。したがって、溶着や印刷またはインモールド成型を行うためのコスト的デメリットを解決し、美観を損ねず嵌めやすい透明窓の爪嵌合構造を得ることができる。
【００１９】
また、透明窓２０の突起２３を蓋体１８ｂの凹部２２に係合した状態で、透明窓２０の突出片３０を蓋体１８ｂの溝部２９に入り込む構成とすることにより、突起２３と蓋体１８ｂとの係合がはずれることがなく、透明窓２０のはずれ防止強度を向上することができる。
【００２０】
なお、上記実施例では、透明窓２０の前端下方部に蓋体１８ｂに形成した凹部２２に係合する突起２３を形成し、また後端の下方部に蓋体１８ｂに形成した突起２４に係合する凹部２５を形成しているが、透明窓２０の前端下方部に蓋体１８ｂに形成した突起に係合する凹部を形成し、また後端の下方部に蓋体１８ｂに形成した凹部に係合する突起を形成してもよい。
【００２１】
【発明の効果】
以上のように本発明は、洗濯機外枠に載設した上部外装体に回動自在に後方の一端を軸支し開口部を有する蓋体と、この蓋体の上部に前記開口部を覆うように載設した透明窓とを備え、前記蓋体は、前方の先端部に略Ｌ字型のコーナー部を形成し、前記透明窓は、前記略Ｌ字型のコーナー部を覆うように形成された前端およびその後端側に形成された後端により縦断面形状を略逆凹状とし、前記前端の内側面には、突起または凹部を形成し、前記突起または凹部を蓋体の前方の外側面に形成した凹部または突起に係合するとともに、前記前端の先端には、前記前端の内側面に形成した突起または凹部の形成位置を外れて下方へ突出した突出片を一体に形成し、前記蓋体の略Ｌ字型のコーナー部には、前記突出片の対応位置に溝部を形成し、前記前端の内側面に形成した突起または凹部が、前記蓋体の前方の外側面に形成した凹部または突起に係合した状態で、前記前端の先端に一体に形成した突出片が前記溝部に入り込む構成としたから、開口部を有する蓋装置のもっとも応力のかかりやすい前方の先端部に略Ｌ字型のコーナー部を形成した蓋体と、この蓋体の略Ｌ字型のコーナー部を覆うように前端を略Ｌ字型に形成した透明窓とによって蓋体の先端部を２重壁構造にすることができ、機械的強度を向上することができ、上方からの押し力や、衝撃、またはひねりによって変形または破損するのを防止することができ、また、前端および後端により縦断面形状を略逆凹状とした透明窓の前端の内側面に形成した突起または凹部を蓋体の前方の外側面に形成した凹部または突起に係合することによって透明窓を蓋体に簡単に嵌合することができ、また、透明窓は蓋体に溶着する必要がないため、溶着や、印刷またはインモールド成型を行うコスト的デメリットを解決することができ、外観の美観を損ねることをなくすることができ、さらに、透明窓の前端の内側面に形成した突起または凹部を蓋体の前方の外側面に形成した凹部または突起に係合した状態で、透明窓の前端の先端に前端の内側面の突起または凹部の形成位置を外れて下方へ突出して一体に形成した突出片を蓋体の略Ｌ字型のコーナー部に形成した溝部に入り込む構成とすることにより、突起または凹部と蓋体との係合がはずれることがなく、透明窓のはずれ防止強度を向上することができる。
【図面の簡単な説明】
【図１】  本発明の一実施例の洗濯機の蓋装置を備えた洗濯機の要部断面図
【図２】  同洗濯機の蓋装置を備えた洗濯機の一部切欠した斜視図
【図３】  同洗濯機の蓋装置の分解斜視図
【図４】  （ａ）同洗濯機の蓋装置の透明窓の上面図
（ｂ）同洗濯機の蓋装置の透明窓の正面図
【図５】  同洗濯機の蓋装置の蓋体の要部拡大斜視図
【図６】  同洗濯機の蓋装置の蓋体の透明窓の断面図
【図７】  同洗濯機の蓋装置の蓋体と透明窓の係合状態を示す拡大断面図
【図８】  従来の洗濯機の蓋装置を備えた洗濯機の縦断面図
【図９】  同洗濯機の蓋装置の拡大分解斜視図
【符号の説明】
５  洗濯機外枠
６  上部外装体
１８ｂ  蓋体
２０  透明窓
２０ａ  前端
２１  コーナー部
【図１】
0003743028.tif 000002
【図２】
0003743028.tif 000003
【図３】
0003743028.tif 000004
【図４】
0003743028.tif 000005
【図５】
0003743028.tif 000006
【図６】
0003743028.tif 000007
【図７】
0003743028.tif 000008
【図８】
0003743028.tif 000009
【図９】
0003743028.tif 000010